(57)【要約】【課題】マットレスを使用する際に、利用者の体位変換や寝返りを容易に行うことができ、利用者に対して最適な体圧分散性を実現でき、また、シーツを使用することにより生じる、シーツが汚れたときの清潔面やシーツの交換作業や洗濯作業等の労働面における介護者の負担を軽減することができる側地およびマットレスを提供する。【解決手段】クッション材１５０を側地１１０で覆ったマットレス１００であって、側地１１０には、マットレス１００上で仰臥位姿勢の利用者Ｐの上半身に対応する部分に低摩擦機能を有する第１の摩擦領域１１１を備え、大腿部に対応する部分にマットレス短手方向に低摩擦機能を有する第２の摩擦領域１１２を備え、マットレス１００の下面側に上面側よりも高摩擦機能を有する第３の摩擦領域１１３を備えることを特徴とする。【選択図】図１１
2019072077.tif 000002
【特許請求の範囲】
【請求項１】
クッション材を側地で覆ったマットレスであって、
前記側地は、防水機能または撥水機能を備え、
前記側地の表面には、低摩擦機能を備える摩擦領域が設けられることを特徴とするマットレス。
【請求項２】
前記摩擦領域は、マットレス短手方向に対して低摩擦であることを特徴とする請求項１に記載のマットレス。
【請求項３】
前記摩擦領域は、マットレス長手方向に対して低摩擦であることを特徴とする請求項１に記載のマットレス。
【請求項４】
前記摩擦領域は、
利用者の部位に対応して設けられ、
マットレス短手方向に対しては低摩擦機能を備え、
マットレス長手方向に対しては前記利用者の部位に対応して低摩擦機能または高摩擦機能を備えることを特徴とする請求項１に記載のマットレス。
【請求項５】
前記摩擦領域は、前記側地の上面に設けられることを特徴とする請求項１から４のうち何れか一項に記載のマットレス。
【請求項６】
前記摩擦領域は、前記側地の下面に設けられ、
前記下面の摩擦領域は、可動するベッドの部位に対応して設けられ、
マットレス短手方向に対しては高摩擦機能を備え、
マットレス長手方向に対しては可動するベッドの部位に対応して低摩擦機能または高摩擦機能を備えることを特徴とする請求項５に記載のマットレス。
【請求項７】
前記摩擦領域は、前記側地の下面に設けられ、
前記下面の摩擦領域は、可動するベッドの部位に対応して摩擦係数を変えて構成されることを特徴とする請求項５に記載のマットレス。
【発明の詳細な説明】
【技術分野】
【０００１】
本発明は、クッション材を被覆する側地を用いるマットレスに関する。
【背景技術】
【０００２】
従来、利用者が寝る場合に使用するマットレスは、ベッドのボトムや床等の載置面上に載置して使用される。そのようなマットレスには、利用者の快適性や安全性を向上させる様々な提案がされている。
【０００３】
近年、マットレスを使用するにあたり、身体機能の低下、手術後など寝返りや体位変換が困難な利用者が自力で体位変換する場合の手助けとして、また利用者の介護者ができるだけ小さい力で負担なく利用者の体位変換をできるようにするために、表面が滑りやすいシーツなどが利用されている。シーツが滑ることにより、利用者や介護者はより小さな力で利用者の身体を動かすことができる。
【０００４】
シーツの構造としては、従来技術として、例えば、通常のシーツの臀部にあたる部分に滑る素材を用いることを特徴とするもの（特許文献１を参照）、枕が配置される部分とシーツの両サイドの部分以外の部分を滑る素材としたものが開示されている（特許文献２を参照）。また、滑る素材については、原料や摩擦係数を規定したものが開示されている（特許文献３，４，５を参照。）。
【０００５】
しかしながら、上述した特許文献１，２のようにマットレスの上にシーツを敷く構成では、体位変換時にズレたり、シワが寄ったりし易いため、シーツを敷き直す手間が生じたり、シワになった部分が利用者に当たることで褥瘡のリスクが高まるという問題があった。
【０００６】
また、マットレスの硬さなどの状態により、低摩擦シーツを使用する際の体位変換、寝返りし易さが変わるという問題もあった。さらに、マットレス上に敷くシーツによって、体圧分散性が変わるという問題もあった。
【０００７】
また、マットレスにシーツを敷いて使用することで、シーツ自体が汚れやすいという清潔面の問題や、シーツが汚れる度にシーツを交換したりシーツを洗濯しなければならず、労働面で介護者の負担が増大するという問題も生じている。
【０００８】
マットレスについては、マットレスカバー（側地）の表面に防水機能や撥水機能を備えることで、カバーが汚れた場合でも簡単に清拭することができるので、マットレス自体を清潔に保つことができるマットレスが病院で使われている。
【先行技術文献】
【特許文献】
【０００９】
【特許文献１】実用新案第３１２６７５１号公報
【特許文献２】実用新案第３０１６６５９号公報
【特許文献３】特許第５１１７７２１号公報
【特許文献４】特許第４２７７３３２号公報
【特許文献５】特開２０００−２４０５４号公報
【発明の概要】
【発明が解決しようとする課題】
【００１０】
しかしながら、防水機能や撥水機能を備えるマットレスカバーに直接横になると、肌にマットレスカバーがべたついて感触や寝心地が悪い、蒸れるなどという問題があるためマットレスの上にシーツを敷く必要があった。また、シーツを使用すると、上述したように使用者が動くことによりマットレスカバーと利用者との間でシーツにシワが生じるという問題があった。
【００１１】
本発明は、上記従来の問題点に鑑みてなされたものであって、シーツを用いることなくマットレスを使用でき、利用者が動くことによりマットレスの側地に生じるシワを低減することができ、マットレスの弾力性などの特性と側地の特性を最適に設定でき、蒸れの問題も低減することができるマットレスを提供することを目的とする。
【課題を解決するための手段】
【００１２】
上述した課題を解決するための本発明に係るマットレスは、次の通りである。
【００１３】
本発明は、クッション材を側地で覆ったマットレスであって、前記側地の構成として、防水機能または撥水機能を備え、前記側地の表面には、低摩擦機能を備える摩擦領域を設けることを特徴とするものである。
【００１４】
本発明では、前記側地を、低摩擦素材（例えば、ふっ素繊維など）により構成して、防水加工または撥水加工を施すようにしてもよい。
【００１５】
また、本発明では、前記側地の構成として、当該側地を構成する生地の表面に低摩擦層を備え、前記低摩擦層より下層に防水層を備えるようにしてもよく、また、当該側地を構成する生地の表面に低摩擦機能を備える防水フィルムを貼り付けるようにしてもよい。
【００１６】
また、本発明では、前記側地の構成として、当該側地を構成する生地の表面に低摩擦機能を備える防水加工または撥水加工を施すようにしてもよく、また、前記側地に、部分的に低摩擦機能を有する低摩擦領域を備えるようにしてもよい。
【発明の効果】
【００１７】
本発明のマットレスによれば、クッション材を側地で覆ったマットレスであって、前記側地として、防水機能または撥水機能を備え、前記側地の表面には、低摩擦機能を備える摩擦領域を設けることで、シーツを使用する必要がなくなり、シーツのズレやシワを気にすることなく、利用者の体位変換や寝返りを容易に行うことができ、利用者に対して最適な体圧分散性を実現できるとともに、マットレスの弾力性などの特性と側地の特性を最適に設定でき、蒸れの問題も低減することができる。また、シーツを使用することにより生じる、シーツが汚れたときのシーツの交換作業、洗濯作業等の労働面における介護者の負担を軽減することができる。
【図面の簡単な説明】
【００１８】
【図１】第１実施形態に係るマットレスの全体の構成を示す説明図である。
【図２】前記マットレスの構成を示す断面図である。
【図３】前記マットレスを使用したベッド装置の全体構成を示す説明図である。
【図４】前記側地のマットレス表面側の構成の変形例１を示す説明図である。
【図５】前記側地のマットレス表面側の構成の変形例２を示す説明図である。
【図６】前記側地のマットレス裏面側の構成を示す説明図である。
【図７】前記側地のマットレス裏面側の構成の変形例３を示す説明図である。
【図８】前記マットレスを使用したベッド装置の構成を示す説明図である。
【図９】前記ベッド装置の起伏機構を動作させた状態を示す説明図である。
【図１０】変形例１のマットレスを使用したベッド装置の構成を示す説明図である。
【図１１】変形例１のマットレスを使用したベッド装置の起伏機構を動作させた状態を示す説明図である。
【図１２】第２実施形態に係るマットレスを使用したベッド装置の起伏機構を動作させた状態を示す説明図である。
【図１３】第３実施形態に係るマットレスを起伏機構を有しないベッド装置に使用した状態を示す説明図である。
【発明を実施するための形態】
【００１９】
（第１実施形態）
以下、本発明の側地およびマットレスを実施するための形態について図面を参照して詳細に説明する。
図１は本発明を実施する形態の一例であって、第１実施形態に係るマットレスの全体の構成を示す説明図、図２は前記マットレスの構成を示す断面図、図３は前記マットレスを使用したベッド装置の全体構成を示す説明図である。
【００２０】
(マットレス）
第１実施形態に係るマットレス１００は、図１，図２に示すように、クッション材１５０を側地１１０で覆ったマットレスである。
【００２１】
マットレス１００は、平面視で一方向に長く他方向に短い矩形状で、かつ矩形状の断面を有する直方体形状で構成されている。
【００２２】
クッション材１５０は、弾力性を有する部材より成り、マットレス１００の内部を構成するものであって、マットレス１００の形状と同様に、平面視で一方向に長く他方向に短い矩形状で、かつ矩形状の断面を有する直方体形状で構成されている。
【００２３】
側地１１０は、低摩擦機能と防水機能とを備える生地を用いて構成され、クッション材１５０を収納可能なように、クッション材１５０と同様な直方体形状の空間（以下、収納空間と称する。）を形成するように構成されている。
【００２４】
側地１１０を構成する生地は、全体的に防水機能を備え、部分的に低摩擦機能を有する素材が使用されている。
【００２５】
クッション材１５０は、側地１１０の収納空間１１０ａよりも大きめの寸法で形成されている。例えば、側地１１０に伸縮性をもたせることで、クッション材１５０が側地１１０内部に収納された状態で、クッション材１５０と側地１１０とが一体となるように構成されて、側地１１０の表面に張りが生じるようになっている。
側地１１０内部に収納されるクッション材１５０の寸法に応じて、側地１１０の表面の張り状態の調整は可能である。
【００２６】
クッション材１５０の容量と側地１１０の収納空間１１０ａの大きさとの関係は、クッション材１５０の材質や容量によって、マットレス１００に要求される硬さ（クッション性）によって適宜設定、調整されるものである。
【００２７】
ここで、第１実施形態のマットレス１００の側地１１０の特徴的な構成について図面を参照して説明する。
図３は第１実施形態に係るマットレスの側地のマットレス表面側の構成を示す説明図、図４は前記側地のマットレス表面側の構成の変形例１を示す説明図、図５は前記側地のマットレス表面側の構成の変形例２を示す説明図、図６は前記側地のマットレス裏面側の構成を示す説明図、図７は前記側地のマットレス裏面側の構成の変形例３を示す説明図である。
【００２８】
第１実施形態のマットレス１００の側地１１０は、図３に示すように、マットレス１００の上面側に位置する表面１１０Ａにおいて、マットレス１００上でマットレス長手方向（図中でＸ矢印方向）に仰臥位姿勢の利用者Ｐの上半身（背部、腰部、臀部を含む）に対応する部分に、周辺の生地と比較してマットレス短手方向（図中でＹ矢印方向）に沿った方向に低摩擦機能を有する摩擦領域１１１が設けられている。
【００２９】
ここで、高摩擦（高摩擦状態、高摩擦機能）とは、滑りにくい状態や滑りにくい機能を示し、低摩擦（低摩擦状態、低摩擦機能）とは、滑り易い状態や滑り易い機能を示す。
【００３０】
摩擦領域１１１は、利用者Ｐの上半身付近を含み、マットレス幅方向（マットレス短手方向）の全幅に亘り設けられている。
【００３１】
なお、側地１１０の特徴的な摩擦領域の構成は、上述した構成に限定されるものではない。例えば、摩擦領域１１１の構成として、マットレス短手方向に加えて、マットレス長手方向に対しても低摩擦機能をもたせてもよい。
【００３２】
（変形例１）
変形例１として、マットレス１００が起伏機構を備えるベッド装置に使用される場合は、図４に示すように、摩擦領域１１１を第１の摩擦領域として、第１の摩擦領域１１１に加えて、マットレス１００の上面側に位置する表面１１０Ａにおいて、マットレス１００上でマットレス長手方向に仰臥位姿勢の利用者Ｐの大腿部に対応する部分に、マットレス長手方向に低摩擦機能を有する第２の摩擦領域１１２を設けるようにしてもよい。
【００３３】
第２の摩擦領域１１２は、利用者Ｐの大腿部付近を含み、マットレス幅方向（マットレス短手方向）の全幅に亘り設けられている。
【００３４】
（変形例２）
変形例２として、図５に示すように、マットレス幅方向側端の一部の平坦部１１０ｂを除く範囲で第１の摩擦領域１１１ａおよび第２の摩擦領域１１２ａを設けるようにしてもよい。
【００３５】
また、マットレス１００の側地１１０は、図６に示すように、マットレス１００の下面側に位置する表面１１０Ｂの全域に亘り、特徴的な摩擦機能を有する第３の摩擦領域１１３が形成されている。
【００３６】
具体的には、側地１１０のマットレス１００の下面側の表面１１０Ｂが、マットレス長手方向では、背ボトム３ａ、膝ボトム３ｃ、足ボトム３ｄに対向する部分には低摩擦機能を有し、腰ボトム３ｂに対向する部分には高摩擦機能を有している。
なお、マットレス１００の下面側の表面１１０Ｂは、短手方向に高摩擦機能を有するように構成してもよい。
【００３７】
背上げ機構、膝上げ機構を有するベッド装置の場合は、腰臀部の腰ボトム３ｂは動作しない。背ボトム３ａ、膝ボトム３ｃ、足ボトム３ｄは、動作することでボトムとマットレス１００の接触位置（長手方向）が変化する。
【００３８】
動作する背ボトム３ａ、膝ボトム３ｃ、足ボトム３ｄに対向する位置のマットレス１００の下面側の表面１１０Ｂを、マットレス長手方向に対して低摩擦にすることで、ボトムとマットレス１００の側地１１０との摩擦を軽減し、ベッド装置をスムーズに動作させることができる。また、マットレス１００の下面側の表面１１０Ｂを、短手方向に高摩擦機能を有するように構成することで、ボトム３からマットレス１００がずれにくくすることができる。
【００３９】
なお、側地１１０のマットレス１００の下面側の表面１１０Ｂは、利用者の部位に対応する背ボトム３ａ、腰ボトム３ｂ、膝ボトム３ｃ、足ボトム３ｄに応じて摩擦係数を変えて構成するようにしてもよい。
【００４０】
（変形例３）
なお、側地１１０の第３の摩擦領域１１３の構成は、上述した構成に限定されるものではなく、例えば、変形例３として、図７に示すように、マットレス１００の下面側に位置する表面１１０Ｂにおいて、マットレス長手方向に仰臥位姿勢の利用者Ｐの腰部および臀部の位置に対応する位置に、周辺の生地と比較して高摩擦機能を有する第４の摩擦領域１１４を設けるようにしてもよい。
【００４１】
（ベッド装置）
次に、第１実施形態に係るマットレス１００を使用するベッド装置について、図面を参照して説明する。
図８は第１実施形態に係るマットレスを使用したベッド装置の構成を示す説明図、図９は前記ベッド装置の起伏機構を動作させた状態を示す説明図、図１０は変形例１のマットレスを使用したベッド装置の構成を示す説明図、図１１は変形例１のマットレスを使用したベッド装置の起伏機構を動作させた状態を示す説明図である。
【００４２】
第１実施形態に係るマットレス１００を使用するベッド装置１Ａは、図８に示すように、マットレス１００が載置される分割されたボトム（床部）３と、その分割されたボトム３の一部を起伏させる起伏機構と、起伏機構を備える上部フレーム２と、上部フレーム２を昇降させる昇降機構１とを備えて構成されている。
【００４３】
ベッド装置１Ａは、上部フレーム２のヘッド側およびフット側の下部にそれぞれ昇降機構１Ｈ，１Ｆを配置して、上部フレーム２を昇降するように構成されている。
【００４４】
上部フレーム２の上には分割されたボトム（床部）３が配置される。
ボトム３は、背ボトム（背部）３ａ、腰ボトム３ｂ、膝ボトム（膝部）３ｃ、足ボトム３ｄに分割されて構成されている。そして、その分割されたボトム３の上にマットレス１００が配置される。上部フレーム２のヘッド側とフット側には、それぞれヘッドボード５，フットボード６が設けられている。
【００４５】
ヘッド側の昇降機構１Ｈとフット側の昇降機構１Ｆは、それぞれ昇降動作を独立または協調して制御可能に構成されている。
【００４６】
上部フレーム２には、利用者Ｐの上体（背中）を起伏するための起伏機構として、いわゆる背上げ機構（図示省略）と、利用者Ｐの膝部を起伏するための起伏機構として、いわゆる膝上げ機構（図示省略）が構成されている。
【００４７】
マットレス１００の側地１１０には、図８に示すように、マットレス１００の上面側の表面１１０Ａに、仰臥位姿勢の利用者Ｐの上半身に対向する付近には第１の摩擦領域１１１が設けられている。
【００４８】
また、側地１１０のマットレス１００の下面側の表面１１０Ｂには、上述したように、第３の摩擦領域１１３が設けられている。第３の摩擦領域１１３は、背ボトム（背部）３ａ、腰ボトム３ｂ、膝ボトム（膝部）３ｃ、足ボトム３ｄのそれぞれと対向するように構成されている。
【００４９】
次に、ベッド装置１Ａにおいて、マットレス１００上の利用者Ｐの背上げ動作および膝上げ動作により姿勢を変化させた場合について説明する。
【００５０】
まず、ベッド装置１Ａにおいて、利用者Ｐの背上げ動作を行なう場合は、図９に示すように、図示しない背上げ機構により背ボトム３ａを起こすことで、利用者Ｐの上半身が上マットレス１００とともに起こされる。
【００５１】
このとき、マットレス１００の側地１１０の第１の摩擦領域１１１がマットレス長手方向に低摩擦機能を有するように構成されているので、利用者Ｐの背中が側地１１０に対して容易に摺動することができる。これにより、利用者Ｐは無理なく背上げ動作を行うことができる。
【００５２】
具体的には、ベッド装置１Ａにおいて、利用者Ｐの背上げ動作を行なう場合は、背ボトム３ａが起こされると身体が押されてフット側へずれて、ずり落ちたような背上げ姿勢となる。そこで、第１の摩擦領域１１１をマットレス長手方向に低摩擦機能を有するように構成することで、背ボトム３ａが起こされると利用者Ｐの背中が側地１１０に対して容易に摺動することで押し上げられるため、身体が足側へずれることを抑制して背上げ動作を行うことができる。
【００５３】
そして、利用者Ｐの背上げ動作を行なう際には、利用者Ｐの膝上げ動作を行われる。
膝上げ動作は、図９に示すように、図示しない膝上げ機構により膝ボトム３ｃと足ボトム３ｄとを起こすことで、利用者Ｐの膝部がマットレス１００とともに起こされる。これにより、膝ボトム３ｃが利用者Ｐの太股側を受ける状態となるため、身体がフット側にずれることなく容易に背上げ動作を行なうことができる。
【００５４】
また、マットレス１００の下面側においては、側地１１０の下側の表面１１０Ｂのマットレス１００の長手方向では、背ボトム３ａ、膝ボトム３ｃ、足ボトム３ｄに対向する部分には低摩擦機能を有し、腰ボトム３ｂに対向する部分には高摩擦機能を有する第３の摩擦領域１１３が形成されているので、背ボトム３ａ、膝ボトム３ｃ、足ボトム３ｄが動作した場合には、側地１１０の下側の表面１１０Ｂは、背ボトム３ａ、膝ボトム３ｃ、足ボトム３ｄにおいては容易に移動することができ、腰ボトム３ｂにおいてはマットレス１００が容易にずれることなく、背上げ動作を行なうことができる。
【００５５】
また、側地１１０の下側の表面１１０Ｂのマットレス短手方向に高摩擦機能を有しているので、マットレス１００のずれを抑制して、マットレス１００が短手方向でベッドからはみ出さないようにしている。これにより、マットレス１００の位置を整える労力を低減することができる。
【００５６】
以上のように構成したので、第１実施形態によれば、クッション材１５０を側地１１０で覆ったマットレス１００において、側地１１０として、低摩擦機能を備える側地を用いることで、利用者の体位変換や寝返りを容易に行うことができるので、利用者に対して最適な体圧分散性を実現して、良質な睡眠と床ずれの抑制を実現できる。
【００５７】
さらに、第１実施形態によれば、側地１１０に防水機能を備えることで、側地１１０の表面に汚れが付着した場合でも、内部まで浸透してクッション材を汚すことなく、清拭処理を容易に行うことができるので、汚れ防止のためのシーツを使用する必要がなくなる。これにより、シーツのズレやシワを気にすることなく、また、シーツが汚れたときの清潔面やシーツの交換作業、洗濯作業等の労働面における介護者の負担を軽減することができる。
【００５８】
また、第１実施形態では、側地１１０のマットレス１００の上面側の表面１１０Ａには、利用者Ｐに対応して第１の摩擦領域１１１を設けたことで、利用者Ｐに負担をかけることなく背上げ動作を行うことができる。
【００５９】
さらに、変形例１として、図４に示すように、第１の摩擦領域１１１に加えて、第２の摩擦領域１１２を設けることで、図１０，図１１に示すように、第２の摩擦領域１１２の低摩擦機能により膝上げ時に大腿部が圧迫されることがないため、さらに利用者Ｐに負担をかけることなくベッド動作を行うことができる。
【００６０】
また、第１実施形態では、マットレス１００の下面側の表面１１０Ｂの全域にボトム３に対応して第３の摩擦領域１１３を設けたことで、背上げ動作によるマットレス１００の位置ずれを低減できる。
【００６１】
また、第１実施形態では、側地１１０の特徴的な構成として、低摩擦機能と防水機能とを備える生地を用いて構成しているが、防水機能に代えて撥水機能を備えるものとしてもよい。このように構成することで、側地１１０に汚れが付着した場合でも、防水機能で清拭処理が可能なものであれば、撥水機能においても同様な清拭処理を行うことができる。
【００６２】
側地に撥水機能を備える場合は、側地とクッション材とを分離可能に構成し、クッション材を洗浄可能な部材で構成することが好ましい。このように構成することで、側地に付着した汚れが内部まで浸透してクッション材を汚した場合であっても、クッション材を容易に洗浄することができる。
【００６３】
以下に、側地に防水機能や撥水機能を備える構成の実施例を示す。
実施例１として、第１実施形態に係るマットレス１００に用いる側地１１０に代えて、側地を構成する生地として低摩擦素材を用いて、クッション材を収納する収納空間を形成して、その内側に防水フィルムを貼り付けるなどの防水加工を施すようにしてもよい。
【００６４】
このように構成することで、生地の特徴を活用しつつ低摩擦機能と防水機能とを備える側地を実現できる。また、側地において、防水加工に代えて撥水加工を施すようにしてもよい。
【００６５】
実施例２として、第１実施形態に係るマットレス１００に用いる側地１１０に代えて、側地を構成する生地の表面に低摩擦層を備え、低摩擦層より下層に防水層を備えるように構成したものであってもよい。
【００６６】
このように構成することで、生地に低摩擦層と防水層とを設けることにより、低摩擦機能と防水機能とを備える側地を簡単に実現できる。また、側地において、防水層に代えて撥水層を設けるようにしてもよい。
【００６７】
実施例３として、第１実施形態に係るマットレス１００に用いる側地１１０に代えて、側地を構成する生地の表面に低摩擦機能を備える防水フィルムを貼り付けるように構成したものであってもよい。
【００６８】
このように構成することで、生地に低摩擦機能を備える防水フィルムを貼り付けることにより、生地の汚れも防ぐことができるため清潔な状態をより長く保てる側地を実現できる。また、側地において、防水フィルムに代えて撥水フィルムを貼り付けるようにしてもよい。
【００６９】
実施例４として、第１実施形態に係るマットレス１００に用いる側地１１０に代えて、側地を構成する生地の表面に低摩擦機能を備える防水加工を施すようにしてもよい。
【００７０】
このように構成することで、低摩擦機能を備える防水加工を施した生地を高密度に編み込むことにより、低摩擦機能と防水機能とを備える側地を実現できる。また、側地において、防水加工に代えて撥水加工を施すようにしてもよい。
【００７１】
（第２実施形態）
次に、第２実施形態について図面を参照して説明する。
図１２は第２実施形態に係るマットレスを使用したベッド装置の起伏機構を動作させた状態を示す説明図である。
なお、第２実施形態に係るマットレス及びベッド装置において、第１実施形態に係るマットレス及びベッド装置と同様な構成については同じ符号を付することで説明を省略する。
【００７２】
第２実施形態は、図１２に示すように、特徴的な機能を備えるマットレス２００を、起伏機構として背上げ機構を備えるベッド装置２０１Ａに採用したことを特徴とするものである。
【００７３】
第２実施形態に係るベッド装置２０１Ａは、図１２に示すように、マットレス２００が載置される２分割されたボトム（床部）２０３と、その分割されたボトム２０３の一部を起伏させる起伏機構（図示省略）と、起伏機構を備える上部フレーム２と、上部フレーム２を昇降させる昇降機構１とを備えて構成されている。
【００７４】
ベッド装置２０１Ａは、上部フレーム２のヘッド側およびフット側の下部にそれぞれ昇降機構１Ｈ，１Ｆを配置して、上部フレーム２を昇降するように構成されている。
【００７５】
ボトム３は、背ボトム（背部）２０３ａと足ボトム２０３ｄに分割されて構成されている。そして、その分割されたボトム２０３の上にマットレス２００が配置される。
【００７６】
上部フレーム２には、利用者Ｐの上体（背中）を起伏するための起伏機構として、いわゆる背上げ機構（図示省略）が構成されている。
【００７７】
第２実施形態に係るマットレス２００は、第１実施形態のマットレス１００と同様にクッション材を側地２１０で覆った矩形状のマットレスであって、特徴的な摩擦機能と防水機能とを備える側地２１０を用いて構成されている。
【００７８】
マットレス２００の側地２１０には、図１２に示すように、マットレス２００の上面側の表面２１０Ａに、仰臥位姿勢の利用者Ｐの上半身に対向する付近には第１の摩擦領域２１１が設けられ、利用者Ｐの大腿部に対応する部分には第２の摩擦領域２１２が設けられている。
【００７９】
第１の摩擦領域２１１において、上半身に対応する領域では、周辺の生地と比較してマットレス短手方向（マットレス幅方向）に沿った方向に低摩擦機能を有している。
また、頭部から臀部に亘る領域では、マットレス長手方向に低摩擦機能を有している。
【００８０】
第２の摩擦領域２１２は、周辺の生地と比較してマットレス長手方向に高摩擦機能を有している。
【００８１】
また、マットレス２００の側地２１０は、マットレス２００の下面側に位置する表面２１０Ｂの全域に亘り、第３の摩擦領域２１３が形成されている。第３の摩擦領域２１３は、マットレス短手方向に高摩擦機能を有している。また、マットレス長手方向では、背ボトム２０３ａに対向する部分には低摩擦機能を有し、足ボトム２０３ｄに対向する部分には高摩擦機能を有している。
また、側地２１０は、防水機能を有する素材で構成されている。
【００８２】
次に、ベッド装置２０１Ａにおいて、マットレス２００上の利用者Ｐの背上げ動作により姿勢を変化させた場合について説明する。
【００８３】
ベッド装置２０１Ａにおいて、利用者Ｐの背上げ動作を行なう場合は、図１２に示すように、図示しない背上げ機構により背ボトム２０３ａを起こすことで、利用者Ｐの上半身が上マットレス２００とともに起こされる。
【００８４】
このとき、マットレス２００の側地２１０の第１の摩擦領域２１１がマットレス長手方向に低摩擦機能を有するように構成されているので、利用者Ｐの背中が側地２１０に対して容易に摺動することができる。これにより、利用者Ｐは無理なく背上げ動作を行うことができる。
【００８５】
そして、マットレス２００の側地２１０には、マットレス長手方向に高摩擦機能を有する第２の摩擦領域２１２が設けられているので、利用者Ｐの太腿側がマットレス長手方向にずれにくい状態となっているため、身体がフット側にずれることなく容易に背上げ動作を行なうことができる。
【００８６】
以上のように構成したので、第２実施形態によれば、特徴的なマットレス２００を、起伏機構として背上げ機構のみを備えるベッド装置２０１Ａに採用する場合に、マットレス２００の構成として、側地２１０の表面に第１の摩擦領域２１１と第２の摩擦領域２１２とを設けることで、利用者Ｐに負担をかけることなく背上げ動作を行うことができる。また、側地２１０を、防水機能を有する素材で構成することで、側地２１０の表面に汚れが付着した場合でも、内部まで浸透してクッション材を汚すことなく、清拭処理を容易に行なうことができる。
【００８７】
（第３実施形態）
次に、第３実施形態について図面を参照して説明する。
図１３は第３実施形態に係るマットレスを起伏機構を有しないベッド装置に使用した状態を示す説明図である。
なお、第３実施形態に係るマットレス及びベッド装置において、第１実施形態に係るマットレス及びベッド装置と同様な構成については同じ符号を付することで説明を省略する。
【００８８】
第３実施形態は、図１３に示すように、第１実施形態と同様の構成を有するマットレス３００を、起伏機構を有しないベッド装置３０１Ａに採用したことを特徴とするものである。
【００８９】
第３実施形態に係るベッド装置３０１Ａは、図１３に示すように、マットレス３００が載置されるボトム（床部）３０３と、ボトム３０３が配置される上部フレーム２と、上部フレーム２を昇降させる昇降機構１とを備えて構成されている。
【００９０】
ベッド装置３０１Ａは、上部フレーム２のヘッド側およびフット側の下部にそれぞれ昇降機構１Ｈ，１Ｆを配置して、上部フレーム２を昇降するように構成されている。
【００９１】
第３実施形態に係るマットレス３００は、第１実施形態と同様にクッション材１５０を側地３１０で覆ったマットレスである。
【００９２】
側地３１０を構成する生地は、全体的に防水機能を備え、部分的に低摩擦機能を有する素材が使用されている。
【００９３】
側地３１０は、マットレス３００の上面側に位置する表面３１０Ａにおいて、周辺の生地と比較してマットレス短手方向に低摩擦機能を有する摩擦領域３１１が設けられている。
【００９４】
側地３１０のマットレス３００の下面側の表面３１０Ｂには、第３の摩擦領域３１３が設けられている。第３の摩擦領域３１３は、マットレス短手方向に高摩擦機能を有している。
【００９５】
以上のように構成したので、第３実施形態によれば、特徴的なマットレス３００を、起伏機構を有しないベッド装置３０１Ａに採用する場合に、マットレス３００の構成として、側地３１０の表面３１０Ａに摩擦領域３１１を設けることで、利用者Ｐに負担をかけることなく、利用者の体位変換や寝返りを容易に行うことができる。また、第３実施形態によれば、側地３１０の下側の表面３１０Ｂの全域に高摩擦機能を有する第３の摩擦領域３１３を設けたことで、マットレス３００の位置ずれを低減できる。
【００９６】
さらに、第３実施形態によれば、第１実施形態と同様に、側地３１０に防水機能を備えることで、側地３１０の表面に汚れが付着した場合でも、内部まで浸透してクッション材を汚すことなく、清拭処理を容易に行なうことができるので、汚れ防止のためのシーツを使用する必要がなくなる。これにより、シーツが汚れたときの清潔面やシーツの交換作業、洗濯作業等の労働面における介護者の負担を軽減することができる。また、シーツのズレやシワを気にすることがなくなる。
【００９７】
なお、本発明は、上述した実施形態や変形例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【産業上の利用可能性】
【００９８】
本発明の側地およびマットレスは、医療用、介護用、家庭用のベッド等に用いるマットレスに利用することができる。
【符号の説明】
【００９９】
１Ａ  ベッド装置
３  ボトム
３ａ  背ボトム
３ｂ  腰ボトム
３ｃ  膝ボトム
３ｄ  足ボトム
１００，２００，３００  マットレス
１１０，２１０，３１０  側地
１１０Ａ，２１０Ａ，３１０Ａ  表面（上面側）
１１０Ｂ，２１０Ｂ，３１０Ｂ  表面（下面側）
１１０ａ  収納空間
１１０ｂ  平坦部
１１１，３１１  摩擦領域（第１の摩擦領域）
１１１ａ，２１１  第１の摩擦領域
１１２，１１２ａ，２１２  第２の摩擦領域
１１３，２１３，３１３  第３の摩擦領域
１１４  第４の摩擦領域
１５０  クッション材
【図１】
2019072077.tif 000003
【図２】
2019072077.tif 000004
【図３】
2019072077.tif 000005
【図４】
2019072077.tif 000006
【図５】
2019072077.tif 000007
【図６】
2019072077.tif 000008
【図７】
2019072077.tif 000009
【図８】
2019072077.tif 000010
【図９】
2019072077.tif 000011
【図１０】
2019072077.tif 000012
【図１１】
2019072077.tif 000013
【図１２】
2019072077.tif 000014
【図１３】
2019072077.tif 000015